(57)【要約】【課題】ブスバーと絶縁物を取付板と同一平面に配置し、本体の厚みが薄い表示装置を提供することを目的とするものである。【解決手段】本発明の表示装置は、表示モジュール４に電力を供給するブスバー８，１０と、ブスバー８，１０を取り付けるための絶縁物９と、絶縁物を取り付ける取付板３を備え、ブスバー８，１０と絶縁物９を取付板３と同一平面にすることにより、取付板３と本体２の空間を少なく出来るので本体２の厚みも薄くできる。【選択図】図１
2009025769.tif 000002
【特許請求の範囲】
【請求項１】
複数の画素から構成された表示モジュールと、前記表示モジュールに所定の電源から電力を供給するためのブスバーと、前記ブスバーを取り付ける取付板を有し、前記取付板と前記ブスバーを同一平面に配置したことを特徴とする表示装置。
【請求項２】
前記ブスバーを取り付けるために、前記取付板は前記ブスバーの部分を削除したことを特徴とする請求項１記載の表示装置。
【請求項３】
複数の画素から構成された表示モジュールと、前記表示モジュールに所定の電源から電力を供給するためのブスバーと、前記ブスバーを取り付ける取付板と、前記取付板と前記ブスバーを絶縁するための絶縁物を有し、前記絶縁物は前記取付板と同一平面に取り付けたことを特徴とする表示装置。
【請求項４】
前記取付板は、前記絶縁物を挿入するための挿入部が少なくとも一箇所あることを特徴とする請求項１〜３に記載の表示装置。
【請求項５】
前記絶縁物は、前記ブスバーを挿入するブスバー取付用穴が少なくとも一つあることを特徴とする請求項１〜４に記載の表示装置。
【請求項６】
前記絶縁物は、前記取付板に取り付けるための取付用溝が両側にあることを特徴とする請求項１〜５に記載の表示装置。
【請求項７】
前記表示モジュールは、マトリクス状に配置された複数のＬＥＤ（発光ダイオード）を備えたことを特徴とする請求項１〜６に記載の表示装置。
【発明の詳細な説明】
【技術分野】
【０００１】
本発明は、文字や図形や静止画などを表示する表示装置において、所定の電源から電力の供給を受ける内部構造に関するものである。
【背景技術】
【０００２】
従来の表示装置は、表示モジュールを取り付ける取付板にブスバーを取り付けている（例えば、特許文献１参照）。図１３は前記特許文献１に記載の従来の表示装置の側方における部分断面図である。図１４は前記特許文献１に記載の従来の表示装置の内部を見た背面図である。
【０００３】
図１３において、ブスバー３７，３８は所定の電源から電力を供給している。ブスバー３７，３８はボス部３３，３４と嵌合部３５とによって取付板３６に取り付けられ、マトリクス状に配置された多数の発光ダイオード３２を有する平板状の表示モジュール３１に電力を供給していた。
【特許文献１】特開２０００−１１２３８４号公報
【発明の開示】
【発明が解決しようとする課題】
【０００４】
しかしながら、前記従来の構成では、取付板３６と本体３０の空間にブスバー３７，３８を配置するため、表示装置２９の厚さを薄く出来ないという課題を有していた。
【０００５】
本発明は、前記従来の課題を解決するもので、ブスバーを取付板と同一平面にすることで、取付板と本体の空間を少なくし、厚さを薄く出来る表示装置を提供することを目的とする。
【課題を解決するための手段】
【０００６】
前記従来の課題を解決するため、本発明の表示装置は、複数の画素から構成された表示モジュール４と、前記表示モジュール４に所定の電源から電力を供給するためのブスバー８，１０と、前記ブスバー８，１０を取り付ける取付板３を有し、前記取付板３と前記ブスバー８，１０を同一平面に配置したことを特徴としている。
【０００７】
本構成により、表示装置を薄く出来る効果を有する。
【０００８】
また、本発明の表示装置は、複数の画素から構成された表示モジュール４と、前記表示モジュール４に所定の電源から電力を供給するためのブスバー８，１０と、前記ブスバー８，１０を取り付ける取付板３と、前記取付板３と前記ブスバー８，１０を絶縁するための絶縁物９を有し、前記絶縁物９は前記取付板３に絶縁物挿入部２１を介して取り付けられ、前記ブスバー８，１０と前記絶縁物９と前記取付板３を同一平面に取り付けたことを特徴とする表示装置。
【０００９】
本構成により、ブスバーを容易に取付が行なえ、表示装置を薄く出来る効果を有する。
【発明の効果】
【００１０】
本発明の表示装置によれば、電源から電力を供給するブスバーの取付高さを低くすることができ、厚さの薄い表示装置を提供することができる。
【発明を実施するための最良の形態】
【００１１】
以下、本発明を実施するための最良の形態について、図面を参照しながら説明する。
【００１２】
（実施の形態）
図２は、本発明の実施の形態にかかる表示装置１の内部を背面側から見た様子を、図１は、表示装置１の側方における部分断面を示し、図１２は、表示装置１の外観を示している。
【００１３】
表示装置１は、箱形形状を成した本体部２と、当該本体部２の内部に取り付けられた取付板３と、当該取付板３の表示面側の内側一端部に取り付けられた電源供給部１７と、取付板３に取り付けられた表示モジュール４の表示内容を制御するための信号を出力する制御部１９と、マトリクス状に配置された多数の発光ダイオード１１を有する平板状の表示モジュール４と、正極用ブスバー８と、負極用ブスバー１０と、各ブスバー８、１０を取付板３に固定する絶縁性の取付部９とから構成され、絶縁性の取付部９の取付板固定用ねじ穴２５及び表示モジュール４の取付用孔１４を利用し、タッピングねじ等のねじ１３で取付板３の貫通孔１５に固定されている。表示内容を制御するための信号は制御部１９の信号出力用コネクタ２０より出力し、表示モジュール４の信号入出力手段１２で信号の受渡し接続を行い、文字や図形や静止画などを表示する。
【００１４】
取付板３は、図１及び図２に示す通り、ブスバー８、１０を配置する部分が削除されており、ブスバー８、１０、絶縁性の取付部９によって取付板３と同一平面上に配置される。
【００１５】
ブスバー８、１０は、図１及び図２に示す通り、棒状のアルミニュウムや銅やその合金等の金属であり、中間の適所には、電線取付用孔１６が開設されており、表示モジュール４に配置された電源入力手段５（コネクタ）から出ている電源供給を受けるための電線６、７が、対応する極性のブスバー８、１０の電線取付用孔１６にねじ止めされている。取付板３の左端部には、電源供給部１７が取り付けられており、当該電源供給部１７寄りに配置された２つのブスバー用孔１８は、電源供給部１７と電気的に導通しており、電極として機能するようになっている。
【００１６】
図３は、本発明の実施の形態にかかる表示装置１の内部を背面側から見た様子を、図４は、表示装置１の絶縁物９の取付部側方における部分断面を、図５及び図６は絶縁物９の側面および天面から見た様子を、図７は絶縁物９を取付板３への取付方法を示している。
絶縁物９には取付板３への取付用溝２３、ブスバー取付用穴２２、取付板固定用ねじ穴２５、ブスバー固定用ねじ穴２４がある。
【００１７】
取付板３には絶縁物９を取り付けるための絶縁物挿入部２１がある。絶縁物９およびブスバー８，１０の取付板３の固定方法は、図７に示すとおり絶縁物９のブスバー取付用穴２２にブスバー８，１０を通し、絶縁物９を取付板３の絶縁物挿入部２１の位置から矢印の方向に移動させ取付板固定用ねじ穴２５、ブスバー固定用ねじ穴２４を、それぞれ取付板３の絶縁物固定用穴２７とブスバー固定用穴２６に合わせ、ねじ１３にてブスバー８，１０、絶縁物９、取付板３の固定を行う。
【００１８】
図８は、絶縁物９の別形態の取付部側方における部分断面を、図９及び図１０は絶縁物９の別形態９ａ，９ｂの側面およびブスバー８，１０取付面から見た様子を、図１１は絶縁物９の別形態９ａ，９ｂの取付板３への取付方法を示している。
【００１９】
絶縁物９ａ、９ｂには、ブスバー取付用溝２８、取付板固定用ねじ穴２５がある。絶縁物９ａ，９ｂおよびブスバー８，１０の取付板３の固定方法は、図１１に示すとおり絶縁物９ｂを取付板３の裏側に配置し取付板３の絶縁物固定用穴２７と取付板固定用ねじ穴２５の位置を合わせる。絶縁物９ｂのブスバー取付用溝２８にブスバー８，１０をのせ、取付板３の表側から絶縁物９ａをブスバー８，１０を挟むようにのせ、取付板３の絶縁物固定用穴２７と絶縁物９ｂの取付板固定用ねじ穴２５の位置に合わせ、ねじ１３にて取付板３へ絶縁物９ａ，９ｂおよびブスバー８，１０の固定を行う。
【００２０】
なお、本発明では、表示モジュール４は片側にしかないが、反対側の面に表示モジュール４を取り付け両面で表示しても良く、さらに、表示モジュールの上下左右への接続数を増やして良い。
【産業上の利用可能性】
【００２１】
本発明にかかる表示装置は、表示のジュールの取付高さを低くすることが可能になり、厚さの薄い表示装置を提供することが可能になるので、所定の電源から電力の供給を受けて発光する表示装置等として有用である。
【図面の簡単な説明】
【００２２】
【図１】本発明の実施の形態に係る表示装置の側方における部分断面図
【図２】本発明の実施の形態に係る表示装置の内部を背面から見た様子を示す説明図
【図３】本発明の実施の形態に係る表示装置の内部の絶縁物挿入部を示す説明図
【図４】本発明の実施の形態に係る絶縁物取付部側方における部分断面図
【図５】本発明の実施の形態に係る絶縁物を側面から見た図
【図６】本発明の実施の形態に係る絶縁物を天面から見た図
【図７】本発明の実施の形態に係る絶縁物の取付方法の説明図
【図８】本発明の実施の形態に係る別形態の絶縁物取付部側方における部分断面図
【図９】本発明の実施の形態に係る別形態の絶縁物を側面から見た図
【図１０】本発明の実施の形態に係る別形態の絶縁物をブスバー取付面から見た図
【図１１】本発明の実施の形態に係る別形態の絶縁物の取付方法の説明図
【図１２】本発明の実施の形態に係る表示装置を示す斜視図
【図１３】従来から使用されている表示装置の側方における部分断面図
【図１４】従来から使用されている表示装置の内部を背面から見た様子を示す説明図
【符号の説明】
【００２３】
１，２９  表示装置
２，３０  本体部
３，３６  取付板
４，３１  表示モジュール
５  電源入力手段
６，７  電線
８  正極用ブスバー
９  絶縁性の取付部
９ａ  絶縁性の取付部
９ｂ  絶縁性の取付部
１０  負極用ブスバー
１１，３２  発光ダイオード
１２  信号入出力手段
１３  ねじ
１４  取付用孔
１５  貫通孔
１６  電線取付用孔
１７  電源供給部
１８  ブスバー用孔
１９  制御部
２０  信号出力用コネクタ
２１  絶縁物挿入部
２２  ブスバー取付用穴
２３  ブスバー取付用溝
２４  ブスバー固定用ねじ穴
２５  取付板固定用ねじ穴
２６  ブスバー固定用穴
２７  絶縁物固定用穴
２８  ブスバー取付用溝
３３，３４  ボス部
３５  嵌合部
３７，３８  ブスバー
【図１】
2009025769.tif 000003
【図２】
2009025769.tif 000004
【図３】
2009025769.tif 000005
【図４】
2009025769.tif 000006
【図５】
2009025769.tif 000007
【図６】
2009025769.tif 000008
【図７】
2009025769.tif 000009
【図８】
2009025769.tif 000010
【図９】
2009025769.tif 000011
【図１０】
2009025769.tif 000012
【図１１】
2009025769.tif 000013
【図１２】
2009025769.tif 000014
【図１３】
2009025769.tif 000015
【図１４】
2009025769.tif 000016